(57)【要約】【課題】いつでも安全かつ確実にペットボトルのラベルを剥がすことができるペットボトルのラベル剥がし具を提供する。【解決手段】差込片１１が、板状であって、ペットボトル１の表面とラベル２との間に挿入可能な先端１１ａを有している。差込片１１は、先端１１ａの側がキャップ３の端面３ａに対し間隙２２をあけて対向するよう、先端１１ａの側より後端１１ｂの側で端面３ａに取り付けられている。刃１２が、差込片１１の先端１１ａの側の端面３ａと対向する面から突出している。刃１２は、差込片１１の先端１１ａの方向を向いて設けられている。【選択図】図１
0003115617.tif 000002
【実用新案登録請求の範囲】
【請求項１】
ペットボトルのキャップの端面に取り付けて使用され、前記ペットボトルの表面を被覆するラベルを剥がすためのラベル剥がし具であって、
差込片と刃とを有し、
前記差込片は板状であって前記ペットボトルの表面と前記ラベルとの間に挿入可能な先端を有し、先端側が前記キャップの端面に対し間隙をあけて対向するよう前記先端側より後端側で前記端面に取り付けられ、
前記刃は前記差込片の先端側の前記端面と対向する面から突出し前記差込片の先端方向を向いて設けられていることを、
特徴とするペットボトルのラベル剥がし具。
【考案の詳細な説明】
【技術分野】
【０００１】
本考案は、ペットボトルのラベル剥がし具に関する。
【背景技術】
【０００２】
一般に、ペットボトルを資源ゴミとして棄てる場合、ペットボトルを再利用するためにペットボトルの本体からラベルを剥がし、分別して棄てる必要がある。ペットボトルのラベルは、ペットボトルの原料であるポリエチレンテレフタレートとは異なる原料から成るため、混合して棄てられると再生利用ができなくなるためである。しかし、ペットボトルのラベルはペットボトルに密着して設けられているため、手では剥がしにくいという問題があった。この問題を解決するために、従来、ミシン目を入れたラベル（例えば、特許文献１参照）や、専用のラベル剥がし器（例えば、特許文献２参照）が提案されている。
【０００３】
【特許文献１】特開平１０−３１６１４３号公報
【特許文献２】特開２００２−１５９７６２号公報
【考案の開示】
【考案が解決しようとする課題】
【０００４】
しかしながら、特許文献１記載のラベルでは、うまくミシン目に沿って剥がれないことが多いという課題があった。また、特許文献２記載のラベル剥がし器では、手元にないときにはラベルを剥がすことができないという課題があった。また、ラベルを剥がすときに刃で手を傷つける危険性があるという課題もあった。
【０００５】
本考案は、このような従来の課題に着目してなされたもので、いつでも安全かつ確実にペットボトルのラベルを剥がすことができるペットボトルのラベル剥がし具を提供することを目的とする。
【課題を解決するための手段】
【０００６】
上記目的を達成するために、本考案に係るペットボトルのラベル剥がし具は、ペットボトルのキャップの端面に取り付けて使用され、前記ペットボトルの表面を被覆するラベルを剥がすためのラベル剥がし具であって、差込片と刃とを有し、前記差込片は板状であって前記ペットボトルの表面と前記ラベルとの間に挿入可能な先端を有し、先端側が前記キャップの端面に対し間隙をあけて対向するよう前記先端側より後端側で前記端面に取り付けられ、前記刃は前記差込片の先端側の前記端面と対向する面から突出し前記差込片の先端方向を向いて設けられていることを、特徴とする。
【０００７】
本考案に係るペットボトルのラベル剥がし具は、まず、差込片の先端側がペットボトルのキャップの端面に対し間隙をあけて対向するよう、差込片をペットボトルのキャップの端面に取り付ける。その間隙にペットボトルのラベルを挿入させ、ペットボトルの表面とラベルとの間に差込片の先端を挿入させる。差込片を挿入したならば、差込片の先端方向に向かって移動させる。このとき、刃が、差込片の先端側の端面と対向する面から突出し、差込片の先端方向を向いて設けられているため、ラベルをその刃で切断することができる。こうして、ペットボトルのラベルを刃で確実に切断し、剥がすことができる。
【０００８】
本考案に係るペットボトルのラベル剥がし具は、ペットボトルに付属しているペットボトルのキャップの端面に取り付けられるため、必要なときに、いつでもラベルを剥がすことができる。また、刃が差込片の先端側の端面と対向する面にあるため、ラベルを剥がすときに、手や指が誤って刃に触れることがなく安全である。
【考案の効果】
【０００９】
本考案によれば、いつでも安全かつ確実にペットボトルのラベルを剥がすことができるペットボトルのラベル剥がし具を提供することができる。
【考案を実施するための最良の形態】
【００１０】
以下、図面に基づき本考案の実施の形態について説明する。
図１および図２は、本考案の実施の形態のペットボトルのラベル剥がし具を示している。
図１に示すように、ペットボトルのラベル剥がし具は、差込片１１と刃１２とを有している。
【００１１】
差込片１１は、プラスチック製で、細長く板状に形成されている。図１（ａ）に示すように、差込片１１は、先端１１ａがやや丸みを帯びた平面形状を有し、後端１１ｂが丸みを帯びた平面形状を有している。図１（ｃ）に示すように、差込片１１は、先端１１ａに向かって厚みが徐々に薄くなるよう形成され、先端１１ａがペットボトル１の表面とラベル２との間に挿入可能になっている。差込片１１は、先端１１ａの側より後端１１ｂの側に、やや厚みを有する貼付部２１を有している。
【００１２】
貼付部２１は、差込片１１の一方の表面１１ｃの側に設けられ、その表面１１ｃに平行な貼付面２１ａを有している。貼付面２１ａは、粘着剤が付着されている。図１（ａ）に示すように、貼付部２１は、先端１１ａの側に向かって徐々に幅が狭くなり、その先端１１ａの側の端部２１ｂが差込片１１の幅方向の中心に位置するよう設けられている。図１（ｂ）および（ｃ）に示すように、差込片１１は、先端１１ａの側がキャップ３の端面３ａに対し間隙２２をあけて対向するよう、ペットボトル１のキャップ３の端面３ａに貼付部２１の貼付面２１ａで貼付可能になっている。
【００１３】
図１に示すように、刃１２は、差込片１１と同じプラスチック製である。刃１２は、差込片１１の一方の表面１１ｃである、差込片１１の先端１１ａの側の端面３ａと対向する面から突出して設けられている。刃１２は、貼付部２１の端部２１ｂに、差込片１１の先端１１ａの方向を向いて設けられている。
【００１４】
次に、作用について説明する。
ペットボトルのラベル剥がし具は、ペットボトル１のおまけとして小袋などに入れられ、ペットボトル１に付けて販売される。そのラベル剥がし具は、ペットボトル１のキャップ３の端面３ａに取り付けて使用される。まず、図１に示すように、差込片１１の先端１１ａの側がペットボトル１のキャップ３の端面３ａに対し間隙２２をあけて対向するよう、差込片１１を貼付部２１の貼付面２１ａでペットボトル１のキャップ３の端面３ａに貼り付ける。ラベル剥がし具は、ペットボトル１の製品製造の際にキャップ３の端面３ａに貼り付けられても、製品購入後に購入者がキャップ３の端面３ａに貼り付けるようになっていてもよい。
【００１５】
図２に示すように、その間隙２２にペットボトル１のラベル２を挿入させ、ペットボトル１の表面とラベル２との間に差込片１１の先端１１ａを挿入させる。差込片１１を挿入したならば、差込片１１の先端１１ａの方向に向かって移動させる。このとき、刃１２が、差込片１１の先端１１ａの側の端面３ａと対向する面から突出し、差込片１１の先端１１ａの方向を向いて設けられているため、ラベル２をその刃１２で切断することができる。こうして、ペットボトル１のラベル２を刃１２で確実に切断し、剥がすことができる。
【００１６】
ペットボトルのラベル剥がし具は、ペットボトル１に付属しているペットボトル１のキャップ３の端面３ａに貼り付けられるため、必要なときに、いつでもラベル２を剥がすことができる。また、刃１２が差込片１１の先端１１ａの側の端面３ａと対向する面にあるため、ラベル２を剥がすときに、手や指が誤って刃１２に触れることがなく安全である。
【００１７】
ペットボトルのラベル剥がし具で、貼付部２１が差込片１１の先端１１ａに向かって徐々に幅が狭くなり、その端部２１ｂが差込片１１の幅方向の中心に位置するよう設けられているため、その端部２１ｂに設けられた刃１２で切断されたラベル２が、貼付部２１の形状に沿って端部２１ｂから差込片１１の両脇に広がっていく。このため、ラベル２を切断しやすくなっている。差込片１１および刃１２がプラスチック製であるため、プラスチック製のペットボトル１のキャップ３に貼り付けたまま容易に廃棄することができる。
【図面の簡単な説明】
【００１８】
【図１】本考案の実施の形態のペットボトルのラベル剥がし具を示す（ａ）平面図、（ｂ）正面図、（ｃ）右側面図である。
【図２】図１に示すペットボトルのラベル剥がし具の使用状態を示す図である。
【符号の説明】
【００１９】
１    ペットボトル
２    ラベル
３    キャップ
１１  差込片
１２  刃
２１  貼付部
２２  間隙
【図１】
0003115617.tif 000003
【図２】
0003115617.tif 000004